(57)【要約】【課題】停電が発生した場合でも、録画の継続が可能な記録再生装置を提供する。【解決手段】電源部８から電源供給を受け、電力の蓄積が可能なバッテリ７と、１セグチューナ１０、１セグデコーダＩＣ５、フラッシュメモリ６とを備え、チューナ９によって受信したデジタル放送の映像データを、ＭＰＥＧデコーダＩＣ３を介してＨＤＤ４に録画中に停電が発生した場合、停電検出部１により停電を検出され、制御部２を通じて１セグチューナ１０、１セグデコーダＩＣ５、フラッシュメモリ６をバッテリ７により稼動させることにより、停電が発生しＭＰＥＧデコーダＩＣ３による録画が不可能となった場合でも、放送番組を１セグ放送にて代替録画することができる。【選択図】図１
2008141636.tif 000002
【特許請求の範囲】
【請求項１】
デジタル放送信号の受信が可能なチューナと、
該チューナにより受信した前記デジタル放送信号を復号化して映像及び音声データ（以降、映像データと称する）化するためのデジタル放送デコーダと、
該デジタル放送デコーダにより復号された映像データを録画するための記録媒体と、
これらに電源を供給する電源供給手段と、
を備えるデジタル放送受信可能な記録再生装置であって、
前記デジタル放送デコーダよりも消費電力が少なく、前記デジタル放送信号に重畳される１セグ放送を受信するための１セグチューナと、
該１セグチューナにより受信した１セグ放送を映像データに復号する１セグデコーダと、
前記記録媒体よりも消費電力が少なく、該１セグデコーダにより復号される映像データを録画する不揮発性記録手段と、
前記電源供給手段の電源供給の可否を検出する停電検出手段と、
前記電源供給手段から得る電力を蓄積可能なバッテリと、を備え、
前記記録媒体に前記デジタル放送デコーダにより復号された映像データを録画している最中に、前記停電検出手段が前記電源供給手段による電源の供給が停止したことを検出した場合、前記バッテリにより前記１セグチューナ・前記１セグデコーダ・前記不揮発性記録手段をそれぞれ稼働させ、前記１セグ放送を前記１セグチューナにより受信し、前記１セグデコーダにより映像データとして復号し、前記不揮発性記録手段に録画させることを特徴とする１セグ放送受信可能な記録再生装置。
【請求項２】
前記バッテリの稼動による１セグ放送の録画中に、前記電源供給手段による電源の供給の再開を前記停電検出手段が検出した際、前記デジタル放送デコーダ及び前記記録媒体を稼動させ、前記記録媒体へのデジタル放送による映像データの録画を再開すると共に、前記バッテリによる電源の供給を停止し、前記１セグデコーダ及び前記不揮発性記録手段による録画を停止することを特徴とする請求項１記載の１セグ放送受信可能な記録再生装置。
【請求項３】
前記停電検出手段が前記電源供給手段による電源供給の停止を検出する前に、前記記録媒体に録画される停電前映像データと、
前記停電検出手段が前記電源供給手段による電源供給の停止を検出後、前記不揮発性記録手段に録画される１セグ映像データと、
前記停電検出手段が前記電源供給手段による電源供給の再開を検出後、前記記録媒体に録画される停電後映像データと、
をそれぞれ録画した状態において、録画した映像データの再生を行う際、前記停電前映像データの再生が終了後、前記１セグ映像データの再生を続けて行い、前記１セグ映像データの再生が終了後、更に続けて前記停電後映像データの再生を行うことを特徴とする請求項２記載の１セグ放送受信可能な記録再生装置。
【請求項４】
前記停電検出手段が前記電源供給手段による電源供給の停止を検出する前に、前記記録媒体に録画される停電前映像データと、
前記停電検出手段が前記電源供給手段による電源供給の停止を検出後、前記不揮発性記録手段に録画される１セグ映像データと、
前記停電検出手段が前記電源供給手段による電源供給の再開を検出後、前記記録媒体に録画される停電後映像データと、
をそれぞれ録画した状態において、ユーザによる録画動作の停止操作が行われた場合、若しくはユーザが事前に予約した録画動作の終了時刻に達した場合、前記停電前映像データの終端と前記１セグ映像データの始端とを接続すると共に、前記１セグ映像データの終端と前記停電後映像データの始端とを接続し、１つの映像データとして前記記録媒体に改めて記録することを特徴とする請求項２記載の１セグ放送受信可能な記録再生装置。
【発明の詳細な説明】
【技術分野】
【０００１】
本発明は、映像録画中に停電が発生した場合でも、録画の続行が可能な１セグ放送受信可能な記録再生装置に関する。
【背景技術】
【０００２】
従来、放送信号を受信し放送映像を記録媒体に録画する記録再生装置が用いられている。近年においては、この記録媒体は磁気テープから光ディスクや磁気ディスクといったものに移り変わっており、これらの媒体の記録容量は著しい大容量化が図られている。大容量化が進むにつれて、１つの媒体に多量のコンテンツの録画が可能となっており、ユーザの利便性は大きく向上している。このような記録再生装置は、データの高密度化により、不意の停電等による電源切断により、録画中のデータが破損してしまい、ユーザが予約した放送番組の録画失敗等が発生する虞がある。これを防止するために種々の方法が開示されている。
【０００３】
例えば特許文献１では、従来であれば停電により録画が停止し、映像データの正常なクローズができずにファイルが破損するようなものであっても、停電前の録画状況を記憶し、停電が発生し、更に復旧した際に、録画中のデータに対してクローズ処理をし、また録画予約等の時間が継続中であれば、予約情報に従って録画処理を行う方法が開示されている。
【０００４】
また、特許文献２では、ユーザの操作による電源切断指令を受けると、録画予約情報をネットワーク接続された他の記録再生装置に転送し、録画予約情報に基づいて録画可能かどうかを判別し、録画可能であれば他の記録再生装置で放送番組の録画を行うといった、ユーザの誤操作による録画の失敗を抑制する方法が開示されている。
【０００５】
更に、特許文献３では、ＤＶＤ等の着脱自在な記録媒体を用いた記録再生装置において、ＤＶＤの他に１つ以上の記録媒体を備え、放送番組録画中にＤＶＤの残容量が少なくなり、放送番組終了までの録画が不可能なことが検出された場合、自動的に他の記録媒体に録画処理を切換え、ＤＶＤを排出し、新たなＤＶＤの挿入を促し、新たなＤＶＤが挿入されたことが検出された場合、他の記録媒体に録画された映像の再生を行いつつ、新たなＤＶＤに映像をコピーする方法が開示されている。
【０００６】
【特許文献１】特開２００４−１２０３６５号公報
【特許文献２】特開２００５−３５４５９９号公報
【特許文献３】特開２００４−３３４９６７号公報
【発明の開示】
【発明が解決しようとする課題】
【０００７】
しかしながら、何れの文献においても録画中に停電等が発生した場合、録画処理を停止し、停電から復旧した際に、録画データの修復や、他の記録媒体への退避等を行うものであり、停電が発生中の放送番組の録画をすることは不可能である。即ち、ユーザは所望の放送番組の録画中に停電が発生した場合、停電が発生している間の放送番組の映像を視聴することができないのである。
【０００８】
本発明は上記課題を鑑みてなされたものであり、停電等により電源供給が停止された場合においても、１セグ放送を用いた代替録画を行うことが可能な記録再生装置を提供することを目的とする。
【課題を解決するための手段】
【０００９】
請求項１に係る１セグ放送受信可能な記録再生装置は、デジタル放送信号の受信が可能なチューナと、
該チューナにより受信した前記デジタル放送信号を復号化して映像及び音声データ（以降、映像データと称する）化するためのデジタル放送デコーダと、
該デジタル放送デコーダにより復号された映像データを録画するための記録媒体と、
これらに電源を供給する電源供給手段と、
を備えるデジタル放送受信可能な記録再生装置であって、
前記デジタル放送デコーダよりも消費電力が少なく、前記デジタル放送信号に重畳される１セグ放送を受信するための１セグチューナと、
該１セグチューナにより受信した１セグ放送を映像データに復号する１セグデコーダと、
前記記録媒体よりも消費電力が少なく、該１セグデコーダにより復号される映像データを録画する不揮発性記録手段と、
前記電源供給手段の電源供給の可否を検出する停電検出手段と、
前記電源供給手段から得る電力を蓄積可能なバッテリと、を備え、
前記記録媒体に前記デジタル放送デコーダにより復号された映像データを録画している最中に、前記停電検出手段が前記電源供給手段による電源の供給が停止したことを検出した場合、前記バッテリにより前記１セグチューナ・前記１セグデコーダ・前記不揮発性記録手段をそれぞれ稼働させ、前記１セグ放送を前記１セグチューナにより受信し、前記１セグデコーダにより映像データとして復号し、前記不揮発性記録手段に録画させることを特徴とする。
【００１０】
請求項１の構成によれば、デジタル放送を記録媒体に録画中において、停電等により電源の供給が断たれた場合、これを停電検出手段により検出し、予備電源たるバッテリから電源の供給を受け、デジタル放送デコーダよりも消費電力が少ない１セグデコーダを用いて、ＨＤＤ等の記録媒体よりも消費電力の少ない不揮発性記録手段に、記録媒体に録画中であった放送番組の１セグ放送を録画することができる。
【００１１】
請求項２に係る１セグ放送受信可能な記録再生装置は、請求項１記載の１セグ放送受信可能な記録再生装置において、前記バッテリの稼動による１セグ放送の録画中に、前記電源供給手段による電源の供給の再開を前記停電検出手段が検出した際、前記デジタル放送デコーダ及び前記記録媒体を稼動させ、前記記録媒体へのデジタル放送による映像データの録画を再開すると共に、前記バッテリによる電源の供給を停止し、前記１セグデコーダ及び前記不揮発性記録手段による録画を停止することを特徴とする請求項１記載の１セグ放送受信可能な記録再生装置。
【００１２】
請求項２の構成によれば、停電から復旧する等、電源の供給が再開した場合、これを停電検出手段により検出し、デジタル放送デコーダ及び記録媒体を稼動させ、記録媒体への放送番組の録画を再開させると共に、バッテリによる電源供給を停止し、１セグチューナ、１セグデコーダ及び不揮発性記録手段による１セグ放送の録画を停止することができる。
【００１３】
請求項３に係る１セグ放送受信可能な記録再生装置は、請求項２記載の１セグ放送受信可能な記録再生装置において、前記停電検出手段が前記電源供給手段による電源供給の停止を検出する前に、前記記録媒体に録画される停電前映像データと、
前記停電検出手段が前記電源供給手段による電源供給の停止を検出後、前記不揮発性記録手段に録画される１セグ映像データと、
前記停電検出手段が前記電源供給手段による電源供給の再開を検出後、前記記録媒体に録画される停電後映像データと、
をそれぞれ録画した状態において、録画した映像データの再生を行う際、前記停電前映像データの再生が終了後、前記１セグ映像データの再生を続けて行い、前記１セグ映像データの再生が終了後、更に続けて前記停電後映像データの再生を行うことを特徴とする。
【００１４】
請求項３の構成によれば、デジタル放送による映像データの録画中に停電が発生し、１セグ放送の録画に移行した後、停電から復旧してデジタル放送による映像データの録画を再開した際の映像データの再生を行う場合、記録媒体に録画される停電前映像データを再生し、終端に達した場合、停電中に不揮発性記録手段に録画された１セグ映像データを再生し、１セグ映像データが終端に達したら、続いて記録媒体に録画された停電後映像データを再生することができる。
【００１５】
請求項４に係る１セグ放送受信可能な記録再生装置は、請求項２記載の１セグ放送受信可能な記録再生装置において、前記停電検出手段が前記電源供給手段による電源供給の停止を検出する前に、前記記録媒体に録画される停電前映像データと、
前記停電検出手段が前記電源供給手段による電源供給の停止を検出後、前記不揮発性記録手段に録画される１セグ映像データと、
前記停電検出手段が前記電源供給手段による電源供給の再開を検出後、前記記録媒体に録画される停電後映像データと、
をそれぞれ録画した状態において、ユーザによる録画動作の停止操作が行われた場合、若しくはユーザが事前に予約した録画動作の終了時刻に達した場合、前記停電前映像データの終端と前記１セグ映像データの始端とを接続すると共に、前記１セグ映像データの終端と前記停電後映像データの始端とを接続し、１つの映像データとして前記記録媒体に改めて記録することを特徴とする。
【００１６】
請求項４の構成によれば、デジタル放送による映像データの録画中に停電が発生し、１セグ放送の録画に移行した後、停電から復旧してデジタル放送による映像データの録画を再開し、一連の録画動作が終了した際に、映像データを停電前映像データ・１セグ映像データ・停電後映像データの順に結合し、１つのファイルとしてこれを記録媒体に記録することができる。
【発明の効果】
【００１７】
請求項１に係る１セグ放送受信可能な記録再生装置は、デジタル放送信号の受信が可能なチューナと、
該チューナにより受信した前記デジタル放送信号を復号化して映像データ化するためのデジタル放送デコーダと、
該デジタル放送デコーダにより復号された映像データを録画するための記録媒体と、
これらに電源を供給する電源供給手段と、
を備えるデジタル放送受信可能な記録再生装置であって、
前記デジタル放送デコーダよりも消費電力が少なく、前記デジタル放送信号に重畳される１セグ放送を受信するための１セグチューナと、
該１セグチューナにより受信した１セグ放送を映像データに復号する１セグデコーダと、
前記記録媒体よりも消費電力が少なく、該１セグデコーダにより復号される映像データを録画する不揮発性記録手段と、
前記電源供給手段の電源供給の可否を検出する停電検出手段と、
前記電源供給手段から得る電力を蓄積可能なバッテリと、を備え、
前記記録媒体に前記デジタル放送デコーダにより復号された映像データを録画している最中に、前記停電検出手段が前記電源供給手段による電源の供給が停止したことを検出した場合、前記バッテリにより前記１セグチューナ・前記１セグデコーダ・前記不揮発性記録手段をそれぞれ稼働させ、前記１セグ放送を前記１セグチューナにより受信し、前記１セグデコーダにより映像データとして復号し、前記不揮発性記録手段に録画させるので、ユーザが所望のデジタル放送番組を記録媒体に映像データとして録画中に、停電等による電源供給の停止があった場合に、電源をバッテリに切換え、消費電力量の大きいデジタル放送デコーダ及びＨＤＤ等の記録媒体から、消費電力の小さい１セグデコーダ及び不揮発性記録媒体を用いて当該放送番組の録画を続行することができる。
【００１８】
請求項２に係る１セグ放送受信可能な記録再生装置は、請求項１記載の１セグ放送受信可能な記録再生装置において、前記バッテリの稼動による１セグ放送の録画中に、前記電源供給手段による電源の供給の再開を前記停電検出手段が検出した際、前記デジタル放送デコーダ及び前記記録媒体を稼動させ、前記記録媒体へのデジタル放送による映像データの録画を再開すると共に、前記バッテリによる電源の供給を停止し、前記１セグデコーダ及び前記不揮発性記録手段による録画を停止するので、停電等による電源供給の停止から復旧し、電源供給が再開された場合に、デジタル放送デコーダ及び記録媒体による録画に切換え、１セグデコーダ及び不揮発性記録媒体による１セグ放送の録画を停止することができ、これにより、高画質なデジタル放送の録画を再開することができる。
【００１９】
請求項３に係る１セグ放送受信可能な記録再生装置は、請求項２記載の１セグ放送受信可能な記録再生装置において、前記停電検出手段が前記電源供給手段による電源供給の停止を検出する前に、前記記録媒体に録画される停電前映像データと、
前記停電検出手段が前記電源供給手段による電源供給の停止を検出後、前記不揮発性記録手段に録画される１セグ映像データと、
前記停電検出手段が前記電源供給手段による電源供給の再開を検出後、前記記録媒体に録画される停電後映像データと、
をそれぞれ録画した状態において、録画した映像データの再生を行う際、前記停電前映像データの再生が終了後、前記１セグ映像データの再生を続けて行い、前記１セグ映像データの再生が終了後、更に続けて前記停電後映像データの再生を行うので、ユーザが録画した放送番組の再生を行う際に、停電前、停電中及び停電後と分割されてしまった映像データを、連続した１つ放送番組として視聴することができる。
【００２０】
請求項４に係る１セグ放送受信可能な記録再生装置は、請求項２記載の１セグ放送受信可能な記録再生装置において、前記停電検出手段が前記電源供給手段による電源供給の停止を検出する前に、前記記録媒体に録画される停電前映像データと、
前記停電検出手段が前記電源供給手段による電源供給の停止を検出後、前記不揮発性記録手段に録画される１セグ映像データと、
前記停電検出手段が前記電源供給手段による電源供給の再開を検出後、前記記録媒体に録画される停電後映像データと、
をそれぞれ録画した状態において、ユーザによる録画動作の停止操作が行われた場合、若しくはユーザが事前に予約した録画動作の終了時刻に達した場合、前記停電前映像データの終端と前記１セグ映像データの始端とを接続すると共に、前記１セグ映像データの終端と前記停電後映像データの始端とを接続し、１つの映像データとして前記記録媒体に改めて録画するので、ユーザが録画した放送番組の再生を行う際に、停電前、停電中及び停電後と分割されてしまった映像データを、連続した１つ放送番組として視聴することができ、１つのファイルに結合されているので、コンテンツ管理の面においてもユーザの利便性は向上する。
【発明を実施するための最良の形態】
【００２１】
以下、本発明を実施するための最良の形態としての実施例を図１から図６を参照して説明する。もちろん、本発明は、その発明の趣旨に反さない範囲で、実施例において説明した以外のものに対しても容易に適用可能なことは説明を要するまでもない。
【００２２】
図１〜図６は、本発明の一実施例を示し、図１は、本発明の記録再生装置の構成を示し、録画中の電源ライン、制御ライン及び信号ラインを示すブロック図である。図２は図１と同様、本発明の記録再生装置の構成を示し、再生時の電源ライン、制御ライン及び信号ラインを示すブロック図である。図３は、停電発生時における記録再生装置の動作を示すフローチャートである。図４は停電からの復旧後における記録再生装置の動作を示すフローチャートである。図５は、図３及び図４の動作によって録画された映像データを再生する際の記録再生装置の動作を示すフローチャートである。図６は、図５に示す再生動作の際の、映像データの読み込み順をイメージ化した説明図である。
【００２３】
本実施例の記録再生装置の構成について、図１に基づいて説明する。１００は記録再生装置である。１は、後述の電源部への電力供給の状態を監視し、電力供給停止を検出する停電検出部である。２は記録再生装置の動作を制御する制御部である。３は後述のチューナにより受信したデジタル放送信号に重畳される映像データを復号するためのＭＰＥＧデコーダＩＣである。４は記録媒体たるＨＤＤ（ハードディスクドライブ）である。５は後述の１セグチューナにより受信されるデジタル放送信号に含有する１セグ放送用の映像データを復号するための１セグデコーダＩＣである。６は、１セグデコーダＩＣにより復号された映像データを録画するための不揮発性記録手段たるフラッシュメモリである。７は、後述の電源部が稼働している間に充電を行い、停電検出部１により電力供給停止を検出した場合の予備電源として用いるバッテリである。８は、各部に電力を供給する電源である。９はデジタル放送信号を受信するためのチューナであり、１０はデジタル放送信号に含有する１セグ放送信号を受信する１セグチューナである。１１は、上記構成を有する記録再生装置１００と接続され、映像の表示を行うモニタである。各ブロックを接続する実線は電源部８若しくはバッテリ７からの電力供給ラインであり、破線は各ブロックがどのブロックを制御するかを表す制御ラインであり、一点鎖線は受信した放送信号及び放送信号に含まれる映像データの通信である信号ラインである。
【００２４】
次に、放送番組の録画中に停電が発生した場合の記録再生装置１００の動作について、図３に基づいて説明する。ユーザが所望の時間、放送番組の録画予約をしており、その録画が開始されているとき、制御部２はＭＰＥＧデコーダＩＣ３によるＨＤＤ４への映像データの録画が図１に示す制御ラインに基づき制御される（Ｓ００１）。電源部８からの電源の供給の停止を停電検出部が検出した場合（Ｓ００２）、制御部２はＭＰＥＧデコーダＩＣ３が録画中であるかを判別する。録画動作中である場合、制御部２は電源を電源部８からバッテリ７に切換え、更に１セグデコーダＩＣ５、フラッシュメモリ６、１セグチューナ１０を稼動させ、１セグチューナ１０にて１セグ放送を受信し、１セグデコーダＩＣ５にて映像データを復号化してフラッシュメモリ６に録画するよう指示する（Ｓ００４）。１セグデコーダＩＣ５は、該指示に従い１セグチューナ１０より受信する１セグ放送をフラッシュメモリ６へ録画する。
【００２５】
続いて、停電から復旧した際に、１セグ放送の録画から通常のデジタル放送の録画へ戻す場合の記録再生装置１００の動作について、図４に基づいて説明する。バッテリ７からの電源供給を受け、１セグデコーダＩＣ５によりフラッシュメモリ６へ１セグ放送の映像データを録画する（Ｓ１０１）。バッテリ７によって記録再生装置１００が動作している際に、停電が復旧する等により電源部８の電力供給が再開した場合は、これを停電検出部１により検出し（Ｓ１０２）、各部の電源をバッテリ７から電源部８へ切り換えると共に、制御部２にて停電前のＭＰＥＧデコーダＩＣ３が録画動作中であったかを確認する（Ｓ１０３）。停電の際、録画動作中であると確認された場合は、停電検出部１から制御部２へ平常時の動作に切り換えるよう指示をする。制御部２は、チューナ９・ＭＰＥＧデコーダＩＣ３・ＨＤＤ４によってデジタル放送による映像データの録画を再開させると共に、１セグデコーダＩＣ５・フラッシュメモリ６・１セグチューナ１０の稼動を停止させる。図６（ａ）に示すように、ＨＤＤ４内に録画されている停電前映像データの終端に、１セグ放送による代替録画開始を示すマーカー（ａ）を付す（Ｓ１０５）。続いてＨＤＤ４への録画が再開された際に生成される停電後映像データの始端に１セグ放送による代替録画終了を示すマーカー（ｂ）を付す（Ｓ１０６）。その後、１セグ放送による代替録画を終了し、フラッシュメモリ６に録画されている１セグ放送による代替録画された１セグ映像データの始端に代替録画開始を示すマーカー（ａ´）、終端に代替録画終了を示すマーカー（ｂ´）を付す（Ｓ１０７）。この動作により、停電前映像データ、１セグ映像データ、停電後映像データと、３つのコンテンツデータを作成することとなる。
【００２６】
次に、上記処理により作成された停電前映像データ、代替録画された１セグ映像データ、及び停電後映像データを再生する際の記録再生装置１００の動作について、図５及び図６（ａ）に基づいて説明する。図５及び図６中の符号（Ｓ）及び（Ｅ）は、それぞれ録画した放送番組の始端及び終端を示している。ユーザが選択して再生を所望する映像データが、録画の途中で停電が発生していた場合、まず選択したＨＤＤ４に録画された停電前映像データの始端から再生を行う（Ｓ２０１）。再生映像が停電前映像データの終端に達した際、録画中に停電があり、１セグ放送による代替録画が行われた旨を示すマーカー（ａ）を検出し、フラッシュメモリ６に録画された対応するマーカー（ａ´）を有する代替録画データである１セグ映像データの再生を行う（Ｓ２０２）。再生映像が１セグ映像データの終端に達し場合、１セグ放送の代替録画が終了しデジタル放送の録画を再開した旨を示すマーカー（ｂ´）を検出し、ＨＤＤ４に記憶された対応するマーカー（ｂ）を有する停電後映像データを再生する。このような再生処理により、停電等により１つの放送番組が３つのコンテンツデータとして録画されたとしても、恰も１つのコンテンツデータのように再生することができ、録画中に停電等が発生した場合でもユーザが所望する番組を欠落することなく再生することができる。また、図６（ｂ）のように、フラッシュメモリ６に録画した１セグ映像データを、ユーザによる編集作業若しくは録画終了後自動的に、ＨＤＤ４の停電前映像データ及び停電後映像データと結合し、正に１つのコンテンツとして編集しＨＤＤ４に記録するとしてもよく、これによりユーザの利便性が向上する。
【００２７】
以上のような構成の記録再生装置１００によれば、録画中に停電等が発生し、電源の供給が断たれた場合においても、予備電源としてバッテリ７が稼動し、消費電力が比較的少ない１セグチューナ１０、１セグデコーダＩＣ５及びフラッシュメモリ６を用いて、録画中の番組の１セグ放送を受信・録画することで、ユーザが録画を所望する番組を確実に録画することが可能となる。また、消費電力は通常ＭＰＥＧデコーダＩＣ３で約６Ｗ、ＨＤＤ４で約２０Ｗ合計約２６Ｗであり、それに対して１セグデコーダＩＣ５は約１．５Ｗ、フラッシュメモリ６は約１〜２Ｗ、合計約２．５〜３Ｗであり、バッテリ７による稼動でも１セグ放送による代替録画は十分な時間可能である。
【００２８】
以上、本発明の実施例について詳述したが、本発明は前記実施例に限定されるものではなく、本発明の要旨の範囲内で種々の変形実施が可能である。例えば記録媒体をＨＤＤ４としたが、これに限定せずＤＶＤ等の記録媒体を用いても何ら問題はない。また、不揮発性記録手段をフラッシュメモリとしたが、その他の不揮発性記録装置を用いても何ら問題は無い。更に、本実施例において、デジタル放送の受信手段をチューナ９と１セグチューナ１０と、２つのチューナを用いるとして説明したが、デジタル放送と１セグ放送の両方を受信することができる１つのチューナを用いても良い。また、停電復旧後の再生装置１００の動作において、停電発生前に記録再生装置１００が録画中であったかどうかを、制御部２はＭＰＥＧデコーダＩＣ３の状態により判断するとしたが、バッテリ７により１セグデコーダＩＣ５が稼動しているかどうかを制御部２で判別し、稼動している場合ＭＰＥＧデコーダＩＣ３による録画を再開するとしても良い。
【図面の簡単な説明】
【００２９】
【図１】本発明の実施例における、記録再生装置の構成、及び録画時の制御ライン・信号ライン・電源ラインを示すブロック図である。
【図２】同上、記録再生装置の構成、及び再生時の制御ライン・信号ライン・電源ラインを示すブロック図である。
【図３】同上、録画中に停電を検出した際の記録再生装置の動作を示すフローチャートである。
【図４】同上、録画中に発生した停電が復旧した際の記録再生装置の動作を示すフローチャートである。
【図５】同上、録画中に停電等が発生した放送番組の再生の際の記録再生装置の動作を示すフローチャートである。
【図６】同上、録画中に停電等が発生した映像データの、再生時のフローを示す説明図である。
【符号の説明】
【００３０】
１００  記録再生装置
１      停電検出部
２      制御部（制御手段）
３      ＭＰＥＧデコーダＩＣ（デジタル放送デコーダ）
４      ＨＤＤ（記録媒体）
５      １セグデコーダＩＣ（１セグデコーダ）
６      フラッシュメモリ（不揮発性記録手段）
７      バッテリ
８      電源部（電源供給手段）
９      チューナ
１０    １セグチューナ
【図１】
2008141636.tif 000003
【図２】
2008141636.tif 000004
【図３】
2008141636.tif 000005
【図４】
2008141636.tif 000006
【図５】
2008141636.tif 000007
【図６】
2008141636.tif 000008